(57)【要約】【課題】観察者の観察状態に応じた表示方式で画像を表示できる画像表示装置を提供すること。【解決手段】画像表示装置１Ａは、視差により立体視可能な画像を表示する表示手段２Ａと、観察者の観察状態を取得する第１取得手段（撮像手段）４と、表示手段２Ａによる画像表示を制御する制御手段５Ａと、を備える。表示手段２Ａは、右目用画像及び左目用画像を交互に表示する第１表示方式と、それぞれ偏光方向が異なる光により形成された右目用画像及び左目用画像を表示する第２表示方式と、右目用画像及び左目用画像を表示して、観察者の右目及び左目にそれぞれ個別に入射させる第３表示方式との少なくとも２つの表示方式を実施可能に構成され、制御手段５Ａは、取得された観察者の観察状態に基づいて、いずれかの表示方式で表示手段２Ａにより右目用画像及び左目用画像を表示させる。【選択図】図１
2012244426.tif 000002
【特許請求の範囲】
【請求項１】
右目用画像及び左目用画像を形成して、視差により立体視可能な画像を表示する表示手段と、
表示された画像を観察する観察者の観察状態を取得する第１取得手段と、
前記表示手段による画像表示を制御する制御手段と、を備え、
前記表示手段は、
前記右目用画像及び前記左目用画像を交互に表示する第１表示方式と、
それぞれ偏光方向が異なる光により形成された前記右目用画像及び前記左目用画像を表示する第２表示方式と、
前記右目用画像及び前記左目用画像を表示して、前記観察者の右目及び左目にそれぞれ個別に入射させる第３表示方式との少なくとも２つの表示方式を実施可能に構成され、
前記制御手段は、前記第１取得手段により取得された前記観察者の観察状態に基づいて、前記少なくとも２つの表示方式のうちのいずれかの表示方式で、前記表示手段により前記右目用画像及び前記左目用画像を表示させる
ことを特徴とする画像表示装置。
【請求項２】
請求項１に記載の画像表示装置において、
前記第１取得手段は、前記観察者の観察状態として、当該観察者により装着される眼鏡の種別を取得し、
前記制御手段は、
実施可能な表示方式として前記第１表示方式が含まれる場合で、かつ、前記観察者が前記第１表示方式に応じた眼鏡を装着していることが検出された場合には、前記第１表示方式で前記表示手段に前記右目用画像及び前記左目用画像を表示させ、
実施可能な表示方式として前記第２表示方式が含まれる場合で、かつ、前記観察者が前記第２表示方式に応じた眼鏡を装着していることが検出された場合には、前記第２表示方式で前記表示手段に前記右目用画像及び前記左目用画像を表示させる
ことを特徴とする画像表示装置。
【請求項３】
請求項２に記載の画像表示装置において、
前記眼鏡には、対応する表示方式を示す識別情報が設定され、
前記第１取得手段は、前記識別情報を取得する
ことを特徴とする画像表示装置。
【請求項４】
請求項２又は請求項３に記載の画像表示装置において、
前記制御手段は、前記第１取得手段により前記第１表示方式及び前記第２表示方式のいずれかに応じた前記眼鏡が前記観察者から取り外されたことが検出されると、前記表示手段により表示される画像を、前記立体視可能な画像から二次元画像に切り替える
ことを特徴とする画像表示装置。
【請求項５】
請求項１から請求項３のいずれかに記載の画像表示装置において、
前記制御手段は、実施可能な表示方式として前記第３表示方式が含まれる場合で、かつ、前記観察者が前記第１表示方式及び前記第２表示方式に応じた眼鏡を装着していないことが検出された場合には、前記第３表示方式で前記表示手段に前記右目用画像及び前記左目用画像を表示させる
ことを特徴とする画像表示装置。
【請求項６】
請求項１から請求項５のいずれかに記載の画像表示装置において、
前記観察者の表面温度に応じた温度情報を取得する第２取得手段を備え、
前記制御手段は、前記第２取得手段により取得された前記温度情報に基づいて、前記観察者の表面温度が低下したと判定された場合には、前記表示手段により表示される画像を、前記立体視可能な画像から二次元画像に切り替える
ことを特徴とする画像表示装置。
【発明の詳細な説明】
【技術分野】
【０００１】
本発明は、画像表示装置に関する。
【背景技術】
【０００２】
従来、それぞれ視差画像である右目用画像及び左目用画像を形成して、視差により立体視可能な画像（以下、三次元画像という場合がある）を表示する画像表示装置が知られている。このような画像表示装置として、フレームシーケンシャル方式が採用された画像表示装置、及び、偏光方式が採用された画像表示装置（例えば、それぞれ特許文献１参照）と、裸眼立体視方式が採用された画像表示装置（例えば、特許文献２参照）とが知られている。
【０００３】
このうち、特許文献１に記載の画像表示装置は、右目用画像及び左目用画像を交互に表示するとともに、これら各画像の表示タイミングで同期信号を出力する。この右目用画像及び左目用画像の観察には、液晶シャッターによりそれぞれ構成された右目用透過部及び左目用透過部を有する眼鏡が利用され、当該右目用透過部及び左目用透過部の切替は、受信された同期信号に基づいて行われる。すなわち、右目用画像の表示タイミングで、右目用透過部を透過状態とし左目用透過部を遮蔽状態とすることで、右目用画像を右目にて観察可能とする。また、左目用画像の表示タイミングで、左目用透過部を透過状態とし右目用透過部を遮蔽状態とすることで、左目用画像を左目にて観察可能とする。このような眼鏡を介することで、右目及び左目により、それぞれ個別に右目用画像及び左目用画像が視認される。
【０００４】
また、特許文献１に記載の他の画像表示装置は、右円偏光及び左円偏光によりそれぞれ形成された右目用画像及び左目用画像を表示する。これら画像の観察には、右円偏光を透過し左円偏光を遮蔽する右目用透過部と、左円偏光を透過し右円偏光を遮蔽する左目用透過部とを有する眼鏡が用いられる。このような眼鏡を介することで、右目及び左目により、それぞれ個別に右目用画像及び左目用画像が視認される。
【０００５】
一方、特許文献２に記載の画像表示装置は、バックライト、液晶パネル及び視差バリアを備える。このうち、視差バリアは、液晶パネルを介して形成された右目用画像と左目用画像とを分離して、当該画像表示装置に設定された視点上の右目及び左目に、右目用画像及び左目用画像をそれぞれ個別に入射させる。このような構成により、右目及び左目が、それぞれ個別に右目用画像及び左目用画像を視認する。
【先行技術文献】
【特許文献】
【０００６】
【特許文献１】特開２００６−２５３７７７号公報
【特許文献２】特開２０１１−５９２９７号公報
【発明の概要】
【発明が解決しようとする課題】
【０００７】
ところで、上記表示方式は互いに共存が可能であることから、複数の表示方式により三次元画像を表示する画像表示装置が提案されている。しかしながら、前述のように、フレームシーケンシャル方式及び偏光方式では、使用する眼鏡の種別が異なることや、裸眼立体視方式では、設定された視点上に位置しないと三次元画像を視認できない。このような問題から、当該画像表示装置では、観察者が自分の観察状態に応じた表示方式を選択する操作を行う必要があり、観察者にとって面倒であった。
【０００８】
本発明の目的は、観察者の観察状態に応じた表示方式で画像を表示できる画像表示装置を提供することである。
【課題を解決するための手段】
【０００９】
前記した目的を達成するために、本発明の画像表示装置は、右目用画像及び左目用画像を形成して、視差により立体視可能な画像を表示する表示手段と、表示された画像を観察する観察者の観察状態を取得する第１取得手段と、前記表示手段による画像表示を制御する制御手段と、を備え、前記表示手段は、前記右目用画像及び前記左目用画像を交互に表示する第１表示方式と、それぞれ偏光方向が異なる光により形成された前記右目用画像及び前記左目用画像を表示する第２表示方式と、前記右目用画像及び前記左目用画像を表示して、前記観察者の右目及び左目にそれぞれ個別に入射させる第３表示方式との少なくとも２つの表示方式を実施可能に構成され、前記制御手段は、前記第１取得手段により取得された前記観察者の観察状態に基づいて、前記少なくとも２つの表示方式のうちのいずれかの表示方式で、前記表示手段により前記右目用画像及び前記左目用画像を表示させることを特徴とする。
【００１０】
本発明によれば、制御手段が、第１取得手段により取得された観察者の観察状態に基づいて、表示手段により実施可能な第１表示方式、第２表示方式及び第３表示方式の少なくとも２つの表示方式のうちのいずれかの実施可能な表示方式で、立体視可能な画像を表示させる。これによれば、制御手段が観察者の観察状態に適した表示方式で立体視可能な画像を表示手段に表示させることにより、観察者が当該表示方式を選択する操作を行う必要がない。従って、当該表示方式を自動的に切り替えることができ、簡易に立体視可能な画像を観察できる。
【００１１】
本発明では、前記第１取得手段は、前記観察者の観察状態として、当該観察者により装着される眼鏡の種別を取得し、前記制御手段は、実施可能な表示方式として前記第１表示方式が含まれる場合で、かつ、前記観察者が前記第１表示方式に応じた眼鏡を装着していることが検出された場合には、前記第１表示方式で前記表示手段に前記右目用画像及び前記左目用画像を表示させ、実施可能な表示方式として前記第２表示方式が含まれる場合で、かつ、前記観察者が前記第２表示方式に応じた眼鏡を装着していることが検出された場合には、前記第２表示方式で前記表示手段に前記右目用画像及び前記左目用画像を表示させることが好ましい。
【００１２】
本発明によれば、第１取得手段により取得された眼鏡の種別に基づいて、制御手段が、当該眼鏡の種別に応じた表示方式を選択し、当該表示方式が実施可能であれば、当該表示方式にて立体視可能な画像を表示させる。これによれば、観察者の観察状態に適した表示方式での立体視可能な画像の表示を確実に行うことができる。従って、適切に立体視可能な画像を観察できる。
【００１３】
本発明では、前記眼鏡には、対応する表示方式を示す識別情報が設定され、前記第１取得手段は、前記識別情報を取得することが好ましい。
このような識別情報として、例えば、表示方式に応じた眼鏡の形状を挙げることができる他、対応する表示方式を示す文字及び図柄等を挙げることができる。更に、当該識別情報として、所定の信号に応じて発光したり、或いは、所定の色光を反射させる領域を所定の位置に設ける構成が挙げられる。
本発明によれば、第１取得手段により、対応する表示方式を示す識別情報が眼鏡から取得される。これによれば、画像表示装置が、観察者の観察状態に応じた表示方式を確実に選択できる。従って、より一層簡易に立体視可能な画像を観察できる。
【００１４】
本発明では、前記制御手段は、前記第１取得手段により前記第１表示方式及び前記第２表示方式のいずれかに応じた前記眼鏡が前記観察者から取り外されたことが検出されると、前記表示手段により表示される画像を、前記立体視可能な画像から二次元画像に切り替えることが好ましい。
【００１５】
なお、二次元画像は、視差により立体視可能な画像（右目用画像及び左目用画像により構成される三次元画像）の対語として用いており、視差による立体視がされない二次元的な画像を示すものである。
本発明によれば、第１表示方式及び第２表示方式のいずれかの表示方式に応じた眼鏡が観察者から取り外されると、当該表示方式に応じた立体視可能な画像の表示から、二次元画像の表示に切り替えられる。これによれば、画像を立体視可能な観察状態から、立体視可能でない観察状態への変化に応じて、二次元画像の表示に切り替えられるので、当該観察状態に適した画像表示を実施できる。
【００１６】
本発明では、前記制御手段は、実施可能な表示方式として前記第３表示方式が含まれる場合で、かつ、前記観察者が前記第１表示方式及び前記第２表示方式に応じた眼鏡を装着していないことが検出された場合には、前記第３表示方式で前記表示手段に前記右目用画像及び前記左目用画像を表示させることが好ましい。
本発明によれば、表示手段が第３表示方式での画像表示を実施可能で、かつ、第１表示方式及び第２表示方式に応じた眼鏡が観察者に装着されていない場合、制御手段は、当該表示手段に第３表示方式での右目用画像及び左目用画像の表示を実施させる。これによれば、観察者が第３表示方式を選択及び設定するが無い。従って、観察者の観察状態に適した第３表示方式での立体視可能な画像の表示を確実に実行できる。
【００１７】
本発明では、前記観察者の表面温度に応じた温度情報を取得する第２取得手段を備え、前記制御手段は、前記第２取得手段により取得された前記温度情報に基づいて、前記観察者の表面温度が低下したと判定された場合には、前記表示手段により表示される画像を、前記立体視可能な画像から二次元画像に切り替えることが好ましい。
【００１８】
ここで、立体視可能な画像の観察時間が長時間に及んだり、暗い観察環境で立体視可能な画像を観察したりすると、観察者に３Ｄ酔いと呼ばれる乗り物酔いに類似する症状が表れる場合がある。このような３Ｄ酔いになると、観察者の表面温度が低下する傾向が見られる。
このため、本発明では、観察者の表面温度に応じた温度情報を第２取得手段が取得し、当該温度情報に基づいて、当該表面温度が低下したと判定された場合、すなわち、観察者に３Ｄ酔いの症状が表れたと判定された場合に、制御手段が、表示される画像を立体視可能な画像から二次元画像に切り替える。これによれば、観察者の観察状態に適した画像を表示できる。従って、観察者にとって、より観察しやすい画像を表示できる。
【図面の簡単な説明】
【００１９】
【図１】本発明の第１実施形態に係る画像表示装置の構成を示すブロック図。
【図２】（Ａ）前記実施形態におけるフレームシーケンシャル方式で利用される眼鏡を含む撮像画像の一例を示す図。（Ｂ）前記実施形態における直線偏光方式で利用される眼鏡を含む撮像画像の一例を示す図。（Ｃ）前記実施形態における円偏光方式で利用される眼鏡を含む撮像画像の一例を示す図。（Ｄ）前記実施形態における波長多重視覚化方式で利用される眼鏡を含む撮像画像の一例を示す図。（Ｅ）前記実施形態における視力矯正用の眼鏡を含む撮像画像の一例を示す図。
【図３】前記実施形態における表示制御処理を示すフローチャート。
【図４】本発明の第２実施形態に係る画像表示装置の構成を示すブロック図。
【図５】前記実施形態における表示制御処理を示すフローチャート。
【発明を実施するための形態】
【００２０】
〔第１実施形態〕
以下、本発明の第１実施形態について、図面に基づいて説明する。
図１は、本実施形態に係る画像表示装置１Ａの構成を示すブロック図である。
本実施形態に係る画像表示装置１Ａは、画像をスクリーン等の被投射面上に投射するプロジェクターとして構成されている。この画像表示装置１Ａは、画像表示領域全体で二次元画像を表示する機能を有する他、視差画像である右目用画像及び左目用画像を形成して、視差により立体視可能な画像（以下、三次元画像と略す場合がある）を表示する機能を有する。
このような画像表示装置１Ａは、図１に示すように、表示手段２Ａ、送信手段３、撮像手段４及び制御手段５Ａを備える。
【００２１】
ここで、画像表示装置１Ａによる三次元画像の表示方式を説明する。
画像表示装置１Ａは、フレームシーケンシャル方式（以下、ＦＳ方式と略す場合がある）と呼ばれる表示方式と、偏光方式（直線偏光方式及び円偏光方式）と呼ばれる表示方式で、当該三次元画像を表示する。なお、ＦＳ方式は、本発明の第１表示方式に相当し、偏光方式は、本発明の第２表示方式に相当する。
【００２２】
このうち、ＦＳ方式では、画像表示装置１Ａは、右目用画像及び左目用画像を交互に表示するとともに、当該右目用画像及び左目用画像の一方の表示タイミングで赤外線にて同期信号を出力する。この同期信号は、観察者に装着される視差画像選択手段としての眼鏡により受信される。この眼鏡には、観察者の右目及び左目に応じた位置に液晶シャッターにより構成された右目用透過部及び左目用透過部がそれぞれ設けられ、当該各透過部の透過状態は、受信される同期信号に基づいて切り替えられる。すなわち、右目用画像が表示されるタイミングでは、右目用透過部が透過状態となり、左目用透過部が遮蔽状態となる。一方、左目用画像が表示されるタイミングでは、右目用透過部が遮蔽状態となり、左目用透過部が透過状態となる。これにより、右目及び左目が右目用画像及び左目用画像をそれぞれ個別に視認することとなり、三次元画像が観察される。
【００２３】
また、偏光方式では、画像表示装置１Ａは、それぞれ異なる偏光方向を有する偏光光により形成された右目用画像及び左目用画像を表示する。例えば、直線偏光方式では、右目用画像及び左目用画像のうち一方の画像をｐ偏光で形成し、他方の画像をｓ偏光で形成する。また、円偏光方式では、右目用画像及び左目用画像のうちの一方を右円偏光で形成し、他方を左円偏光で形成する。
このような右目用画像及び左目用画像を観察する場合には、使用者は偏光方式に応じた眼鏡を装着する。この眼鏡には、視差画像選択手段として機能するものであり、観察者の右目に応じた位置に、右目用画像を形成する偏光光を透過し、他の偏光光を遮蔽する右目用透過部と、左目に応じた位置に、左目用画像を形成する偏光光を透過し、他の偏光光を遮蔽する左目用透過部とが設けられている。これにより、ＦＳ方式と同様に、右目及び左目が右目用画像及び左目用画像をそれぞれ個別に視認することとなり、三次元画像が観察される。
【００２４】
〔表示手段の構成〕
表示手段２Ａは、後述する制御手段５Ａから入力される画像信号に応じた画像を形成及び表示する。すなわち、表示手段２Ａは、制御手段５Ａの制御の下、前述のＦＳ方式及び偏光方式での三次元画像の表示を行う他、二次元画像の表示を行う。この表示手段２Ａは、光源装置２１、光変調装置２２、投射光学装置２３及び偏光調整部２４を備える。
【００２５】
光源装置２１は、超高圧水銀ランプ等の放電光源ランプ、及び、リフレクターを備える構成や、ＬＥＤ（Light Emitting Diode）等の固体光源を備える構成を例示できる。
光変調装置２２は、光源装置２１から入射される光束を変調して、入力される画像信号に応じた画像を形成する。この際、光変調装置２２は、例えば、直線偏光であるｓ偏光により形成された画像を出射する。このような光変調装置２２は、液晶パネルを備える構成や、マイクロミラーを用いたデバイスを備える構成を例示できる。
投射光学装置２３は、光変調装置２２により形成された画像を、前述の被投射面上に拡大投射する。このような投射光学装置２３は、鏡筒と、当該鏡筒内に配置される複数のレンズとを備える組レンズとして構成できる。
【００２６】
偏光調整部２４は、後述する制御手段５Ａの制御の下、偏光方式により三次元画像を表示する場合に、当該三次元画像を形成する光の偏光方向を調整する。このような偏光調整部２４は、入射される光の偏光方向を変換する位相差板２４１と、当該位相差板２４１を投射光学装置２３により投射される画像の光路上に挿抜する移動部２４２とを有する。
位相差板２４１は、三次元画像を直線偏光方式で表示する場合には、ｓ偏光及びｐ偏光の一方を他方に変換する位相差板（半波長板）が用いられる。また、位相差板２４１は、三次元画像を円偏光方式で表示する場合には、一方の画像の表示時に直線偏光を円偏光に変換する位相差板（λ／４板）が用いられ、また、他方の画像の表示時に更に偏光方向を回転させる位相差板（半波長板）が用いられる。
【００２７】
移動部２４２は、三次元画像を直線偏光方式で表示する場合には、右目用画像及び左目用画像の一方の表示タイミングで、位相差板２４１（半波長板）を、投射光学装置２３により投射される画像の光路上に挿入し、他方の表示タイミングで当該位相差板２４１を当該光路上から抜く。これにより、投射光学装置２３から出射され、被投射面に投射される右目用画像及び左目用画像のうち、一方がｓ偏光により形成された画像となり、他方がｐ偏光により形成された画像となる。
【００２８】
また、移動部２４２は、三次元画像を円偏光方式で表示する場合には、投射光学装置２３により投射される画像の光路上に位相差板２４１（λ／４板）を挿入して、例えば、右目用画像を形成する偏光光を右円偏光とし、左目用画像の表示タイミングで、上記位相差板（半波長板）を更に挿入して、当該左目用画像を形成する偏光光を左円偏光とする。
なお、前述のＦＳ方式により三次元画像が表示される場合には、移動部２４２は、投射光学装置２３から投射される画像の光路上から位相差板２４１を抜いたままとする。
【００２９】
〔送信手段及び撮像手段の構成〕
送信手段３は、ＦＳ方式で三次元画像を表示する際に、後述する制御手段５Ａから入力する同期信号を赤外線にて送信する。
撮像手段４は、観察者の観察状態を撮像するものであり、本発明の第１取得手段及び第２取得手段に相当する。具体的に、撮像手段４が第１取得手段として機能する場合には、当該撮像手段４は、赤外線を照射及び受光して、観察者を撮像し、撮像された画像を制御手段５Ａに出力する。このため、撮像手段４により撮像された画像には、観察者に装着された眼鏡の種別を識別するための情報（識別情報）が含まれる。
また、撮像手段４が第２取得手段として機能する場合には、当該撮像手段４はサーモカメラとして機能し、当該観察者が発する赤外線の強度分布を取得する。このため、撮像手段４による撮像画像には、観察者の表面温度についての温度情報が含まれる。
【００３０】
〔表示方式に応じた眼鏡の種別〕
図２は、撮像手段４による観察者の撮像画像の一例を示す図である。具体的に、図２（Ａ）は、ＦＳ方式で利用される眼鏡Ｇ１を装着した観察者の撮像画像の一例を示す図であり、図２（Ｂ）は、直線偏光方式で利用される眼鏡Ｇ２を装着した観察者の撮像画像の一例を示す図である。また、図２（Ｃ）は、円偏光方式で利用される眼鏡Ｇ３を装着した観察者の撮像画像の一例を示す図であり、図２（Ｄ）は、波長多重視覚化方式で利用される眼鏡Ｇ４を装着した観察者の撮像画像の一例を示す図である。更に、図２（Ｅ）は、視力矯正用の眼鏡Ｇ５を装着した観察者の撮像画像の一例を示す図である。
【００３１】
ここで、各表示方式で観察者に装着される眼鏡について説明する。
ＦＳ方式で利用される眼鏡Ｇ１には、図２（Ａ）に示すように、送信手段３により送信された同期信号を受信した際に点灯する点灯部Ｇ１１が設けられている。この点灯部Ｇ１１は、赤外線を出射し、当該赤外線は撮像手段４による受光される。この撮像手段４による撮像画像における赤外線の出射位置等を識別情報として取得及び解析することにより、観察者が眼鏡Ｇ１を装着していることが検出される。
【００３２】
偏光方式で利用される眼鏡Ｇ２，Ｇ３のうち、眼鏡Ｇ２は、直線偏光方式で用いられる眼鏡であり、眼鏡Ｇ３は、円偏光方式で用いられる眼鏡である。
これらのうち、眼鏡Ｇ２において、観察者の右目に応じた位置に設けられる右目用透過部Ｇ２１には、図２（Ｂ）に示すように、赤外線反射フィルムＦＬが貼付されている。また、眼鏡Ｇ３において、観察者の左目に応じた位置に設けられる左目用透過部Ｇ３１には、図２（Ｃ）に示すように、赤外線反射フィルムＦＬが貼付されている。
このような眼鏡Ｇ２，Ｇ３に対して、撮像手段４が赤外線を照射して撮像し、撮像画像において赤外線反射フィルムＦＬにより反射される赤外線の領域の大きさ及び位置等を識別情報として取得及び解析することにより、観察者が眼鏡Ｇ２或いは眼鏡Ｇ３を装着していることが検出される。
【００３３】
波長多重視覚化方式で利用される眼鏡Ｇ４には、図２（Ｄ）に示すように、フレームＦＲに赤外線反射フィルムＦＬが貼付されている。このような眼鏡Ｇ４に対して、赤外線を照射して撮像し、撮像画像において赤外線反射フィルムＦＬにより反射される赤外線の領域の大きさ及び位置等を識別情報として取得及び解析することにより、観察者が眼鏡Ｇ４を装着していることが検出される。
なお、波長多重視覚化方式とは、波長の異なる２組のＲ（赤）、Ｇ（緑）及びＢ（青）の色光により、右目用画像及び左目用画像をそれぞれ形成し、一方の組のＲＧＢを透過して他方の組のＲＧＢを遮断するフィルターを右目用透過部Ｇ４１に採用し、他方の組のＲＧＢを透過して一方の組のＲＧＢを遮断するフィルターを左目用透過部Ｇ４２に採用することで、これら各透過部Ｇ４１，Ｇ４２を透過した右目用画像及び左目用画像を、それぞれ右目及び左目により個別に視認することで、三次元画像を観察可能とするものである。
【００３４】
視力矯正用の眼鏡Ｇ５は、図２（Ｅ）に示すように、一般的に赤外線を出射若しくは効率よく反射する部位が設定されていない。このため、このような眼鏡Ｇ５を撮像した撮像画像からは、前述の眼鏡Ｇ１〜Ｇ４の装着が検出されない。
【００３５】
〔制御手段の構成〕
制御手段５Ａは、ＣＰＵ（Central Processing Unit）、ＲＯＭ（Read Only Memory）及びＲＡＭ（Random Access Memory）等の回路素子が実装された回路基板として構成され、画像表示装置１Ａ全体を制御する。この制御手段５Ａは、ＣＰＵがＲＯＭに記憶されたプログラムを処理することで、画像処理部５１、状態判定部５２Ａ及び表示制御部５３Ａとして示される各機能部を有する。
【００３６】
画像処理部５１は、画像表示装置１Ａの外部から入力される画像情報（画像信号及び画像データ）を処理して、１フレーム分の画像を描画する。また、画像処理部５１は、表示制御部５３Ａの制御の下、描画した画像を所定のタイミングで表示手段２Ａに出力する。この他、画像処理部５１は、撮像手段４により撮像された撮像画像を処理する。
【００３７】
状態判定部５２Ａは、画像処理部５１により処理された撮像画像に基づいて、観察者の観察状態を判定する。
具体的に、状態判定部５２Ａは、観察者が眼鏡を装着しているか否かを判定し、眼鏡を装着していると判定した場合には、当該眼鏡がＦＳ方式で用いられる眼鏡Ｇ１であるのか、直線偏光方式で用いられる眼鏡Ｇ２であるのか、円偏光方式で用いられる眼鏡Ｇ３であるのか、或いは、その他の眼鏡（眼鏡Ｇ４及び眼鏡Ｇ５）であるのかを判定する。
【００３８】
また、状態判定部５２Ａは、観察者の観察状態に変化が生じたか否かを判定する。
具体的に、状態判定部５２Ａは、画像処理部５１により処理された撮像画像に基づいて、装着されていた眼鏡Ｇ１〜Ｇ３が観察者から外されたか否かを判定する。
【００３９】
更に、状態判定部５２Ａは、当該撮像画像に基づいて、観察者に３Ｄ酔いが生じたか否かを判定する。例えば、状態判定部５２Ａは、撮像画像における観察者の所定の部位（例えば、額）を認識し、当該部位の温度が下がったか否かを判定する。そして、状態判定部５２Ａは、当該部位の温度が下がったと判定した場合には、観察者に３Ｄ酔いが生じたと判定し、当該部位の温度が下がっていないと判定した場合には、観察者に３Ｄ酔いが生じていないと判定する。なお、観察者の頭の動きが大きくなった場合に、当該観察者が３Ｄに対する不快な反応をしていると判断し、観察者に３Ｄ酔いが生じたと判定してもよく、これらを組み合わせて３Ｄ酔いを判定してもよい。
【００４０】
表示制御部５３Ａは、画像表示装置１Ａ全体を制御し、これにより、当該画像表示装置１Ａによる画像の表示状態を制御する。
例えば、表示制御部５３Ａは、三次元画像を表示させる際には、画像処理部５１により、表示手段２Ａにそれぞれ１フレーム分の右目用画像及び左目用画像の画像信号を交互に出力させて、当該右目用画像及び左目用画像を交互に表示させる。
この際、状態判定部５２Ａにより、眼鏡Ｇ１が装着されていると判定された場合には、表示制御部５３Ａは、送信手段３により、右目用画像及び左目用画像のいずれかの表示タイミングで、同期信号を赤外線にて出力させる。すなわち、表示制御部５３Ａは、ＦＳ方式にて三次元画像を表示させる。
【００４１】
また、状態判定部５２Ａにより、眼鏡Ｇ２が装着されていると判定された場合には、表示制御部５３Ａは、移動部２４２により、位相差板２４１（半波長板）を投射光学装置２３から投射される画像の光路上に挿抜させて、右目用画像及び左目用画像を形成する光を、それぞれ異なる偏光方向を有する直線偏光に変換する。すなわち、表示制御部５３Ａは、直線偏光方式にて三次元画像を表示させる。
【００４２】
更に、状態判定部５２Ａにより、眼鏡Ｇ３が装着されていると判定された場合には、表示制御部５３Ａは、移動部２４２により、投射光学装置から投射される画像の光路上に位相差板２４１（λ／４板）を挿入させるとともに、右目用画像及び左目用画像のうち一方の画像の表示タイミングで更に位相差板２４１（半波長板）を挿入させて、当該右目用画像及び左目用画像を形成する光を、それぞれ異なる偏光方向を有する円偏光に変換する。すなわち、表示制御部５３Ａは、円偏光方式にて三次元画像を表示させる。
なお、状態判定部５２Ａにより、眼鏡Ｇ４，Ｇ５が装着されていると判定された場合の他、眼鏡が装着されていないと判定された場合には、表示制御部５３Ａは、画像処理部５１に二次元画像の画像信号を表示手段２Ａに出力させて、当該二次元画像を表示させる。
【００４３】
また、表示制御部５３Ａは、状態判定部５２Ａにより、観察者から眼鏡Ｇ１〜Ｇ３が外されたと判定された場合、及び、当該観察者に３Ｄ酔いが生じたと判定された場合に、画像処理部５１に二次元画像の画像信号を表示手段２Ａに出力させて、当該二次元画像を表示させる。この際、表示制御部５３Ａは、送信手段３により同期信号が出力されている場合には、当該同期信号の出力を停止させ、また、移動部２４２に位相差板２４１を画像の光路上から外させる。これにより、表示される画像が三次元画像から二次元画像に切り替えられる。
【００４４】
〔表示制御処理〕
図３は、画像表示装置１Ａによる表示制御処理を示すフローチャートである。
画像表示装置１Ａは、以下に示す表示制御処理を実行し、二次元画像の表示と三次元画像の表示とを切り替える他、観察者の観察状態に応じた三次元画像の表示方式を選択して実行する。
具体的に、当該表示制御処理では、図３に示すように、まず、制御手段５Ａの状態判定部５２Ａが、撮像手段４により撮像され、画像処理部５１により処理された撮像画像に基づいて、観察者が眼鏡を装着しているか否かを判定する（ステップＳＡ１）。この際、表示制御部５３Ａは、送信手段３により、前述の同期信号を赤外線で出力させる。
このステップＳＡ１の判定処理にて、状態判定部５２Ａが、眼鏡を装着していないと判定した場合（ステップＳＡ１：ＮＯ）には、制御手段５Ａは、処理をステップＳＡ８に移行する。
【００４５】
ステップＳＡ１の判定処理にて、眼鏡を装着していると判定した場合（ステップＳＡ１：ＹＥＳ）には、状態判定部５２Ａは、当該眼鏡がＦＳ方式に対応した眼鏡Ｇ１であるか否かを判定する（ステップＳＡ２）。
このステップＳＡ２の判定処理にて、眼鏡Ｇ１であると判定されると（ステップＳＡ２：ＹＥＳ）、表示制御部５３Ａは、ＦＳ方式での三次元画像の表示を画像処理部５１、表示手段２Ａ及び送信手段３に実行させる（ステップＳＡ３）。この後、制御手段５Ａは、処理をステップＳＡ９に移行する。
【００４６】
ステップＳＡ２の判定処理にて、眼鏡Ｇ１でないと判定されると（ステップＳＡ２：ＮＯ）、撮像手段４が赤外線を観察者に向けて照射して撮像し、この撮像画像に基づいて、状態判定部５２Ａが、装着されている眼鏡が直線偏光方式に対応した眼鏡Ｇ２であるか否かを判定する（ステップＳＡ４）。
このステップＳＡ４の判定処理にて、眼鏡Ｇ２であると判定されると（ステップＳＡ４：ＹＥＳ）、表示制御部５３Ａは、直線偏光方式での三次元画像の表示を画像処理部５１及び表示手段２Ａに実行させる（ステップＳＡ５）。この後、制御手段５Ａは、処理をステップＳＡ９に移行する。
【００４７】
ステップＳＡ４の判定処理にて、眼鏡Ｇ２でないと判定すると（ステップＳＡ４：ＮＯ）、状態判定部５２Ａは、装着されている眼鏡が円偏光方式で用いられる眼鏡Ｇ３であるか否かを判定する（ステップＳＡ６）。
このステップＳＡ６の判定処理にて、眼鏡Ｇ３であると判定されると（ステップＳＡ６：ＹＥＳ）、表示制御部５３Ａは、円偏光方式での三次元画像の表示を画像処理部５１及び表示手段２Ａに実行させる（ステップＳＡ７）。この後、制御手段５Ａは、処理をステップＳＡ９に移行する。
【００４８】
ステップＳＡ６の判定処理にて、眼鏡Ｇ３でないと判定されると（ステップＳＡ６：ＮＯ）、制御手段５Ａは、ステップＳＡ８に処理を移行する。
このステップＳＡ８では、表示制御部５３Ａが、二次元画像の表示を画像処理部５１、表示手段２Ａ及び送信手段３に実行させ（ステップＳＡ８）、制御手段５Ａは、表示制御処理を終了する。なお、このステップＳＡ８の後、観察者により眼鏡Ｇ１，Ｇ２が装着されることに備えて、制御手段５Ａが、処理をステップＳＡ１に戻す構成としてもよい。
【００４９】
ステップＳＡ９では、状態判定部５２Ａが、観察者の観察状態が変化したか否かを判定する（ステップＳＡ９）。ここで、観察状態が変化していないと判定した場合には（ステップＳＡ９：ＮＯ）、状態判定部５２Ａは、ステップＳＡ９の処理を繰り返し実行する。
【００５０】
ステップＳＡ９の判定処理にて、観察状態が変化したと判定すると（ステップＳＡ９：ＹＥＳ）、状態判定部５２Ａは、当該観察状態の変化が、眼鏡が取り外されたことによるものか否かを判定する（ステップＳＡ１０）。
このステップＳＡ１０の判定処理にて、眼鏡が取り外されたことによるものと判定されると（ステップＳＡ１０：ＹＥＳ）、制御手段５Ａは、処理をステップＳＡ１２に移行する。
また、ステップＳＡ１０の判定処理にて、眼鏡が取り外されたことによるものではないと判定すると（ステップＳＡ１０：ＮＯ）、状態判定部５２Ａは、観察者に３Ｄ酔いが生じたか否かを判定する（ステップＳＡ１１）。
【００５１】
ステップＳＡ１１の判定処理にて、観察者に３Ｄ酔いは生じていないと判定されると（ステップＳＡ１１：ＮＯ）、制御手段５Ａは、処理をステップＳＡ９に戻す。
一方、ステップＳＡ１１の判定処理にて、観察者に３Ｄ酔いが生じたと判定されると（ステップＳＡ１１：ＹＥＳ）、制御手段５Ａは、処理をステップＳＡ１２に移行する。
ステップＳＡ１２では、表示制御部５３Ａが、二次元画像の表示を画像処理部５１、表示手段２Ａ及び送信手段３に実行させる（ステップＳＡ１２）。そして、制御手段５Ａは、表示制御処理を終了する。
【００５２】
以上説明した本実施形態に係る画像表示装置１Ａによれば、以下の効果がある。
すなわち、制御手段５Ａの表示制御部５３Ａが、第１取得手段として機能する撮像手段４により撮像画像として取得された観察者の観察状態に基づいて、表示手段２Ａにより実施可能なＦＳ方式及び偏光方式（直線偏光方式及び円偏光方式）のうちのいずれかの表示方式で、三次元画像（立体視可能な画像）を表示させる。これによれば、表示制御部５３Ａが、表示手段２Ａに観察者の観察状態に適した表示方式で三次元画像を表示させることにより、観察者が表示方式を選択する必要がない。従って、三次元画像の表示方式を自動的に切り替えることができ、簡易に三次元画像を観察できる。
【００５３】
撮像手段４により撮像された撮像画像に基づいて、制御手段５Ａの状態判定部５２Ａが眼鏡の種別を判定する。そして、当該眼鏡の種別に基づいて、表示制御部５３Ａが、当該眼鏡の種別に応じた表示方式を選択し、当該表示方式にて三次元画像の表示を実施させる。これによれば、観察者の観察状態に適した表示方式での三次元画像の表示を確実に実施できる。従って、一層簡易に三次元画像を観察できる。
【００５４】
撮像手段４による撮像画像からは、観察者が装着した眼鏡に対応する表示方式を示す識別情報（赤外線の出射位置及び大きさ等）が含まれる。これによれば、状態判定部５２Ａが、当該眼鏡の種別を適切に判定でき、ひいては、表示制御部５３Ａが、当該種別に応じた表示方式、すなわち、観察者の観察状態に応じた表示方式を確実に実施させることができる。従って、より一層簡易に三次元画像を観察できる。
【００５５】
ＦＳ方式及び偏光方式のいずれかの表示方式で三次元画像を表示している際に、当該表示方式に応じた眼鏡が観察者から取り外されると、表示制御部５３Ａは、表示手段２Ａにより表示される画像を三次元画像から二次元画像に切り替える。これによれば、画像を立体視可能な観察状態から、立体視可能でない観察状態への変化に応じて、三次元画像から二次元画像の表示に切り替えることができる。従って、観察者の観察状態に適した画像表示を確実に実施できる。
【００５６】
第２取得手段として機能する撮像手段４による撮像画像に基づいて、観察者から出射される赤外線の強度分布（温度情報）が取得され、当該強度分布に基づいて、観察者の表面温度が取得される。そして、状態判定部５２Ａにより、当該表面温度が低下したと判定された場合、すなわち、観察者に３Ｄ酔いの症状が表れたと判定された場合には、表示制御部５３Ａが、表示される画像を三次元画像から二次元画像に切り替える。これによれば、観察者の観察状態に適した画像を表示できる。従って、観察者にとって、より観察しやすい画像を表示できる。
【００５７】
〔第２実施形態〕
以下、本発明の第２実施形態について説明する。
本実施形態に係る画像表示装置は、前述の画像表示装置１Ａとは異なる三次元画像の表示方式を有する。すなわち、本実施形態に係る画像表示装置は、偏光方式に代えて、裸眼立体視方式での三次元画像の表示を実現可能としている。この点で、本実施形態に係る画像表示装置と、画像表示装置１Ａとは相違する。なお、以下の説明では、既に説明した部分と同一または略同一である部分については、同一の符号を付して説明を省略する。
【００５８】
図４は、本実施形態に係る画像表示装置１Ｂの構成を示すブロック図である。
本実施形態に係る画像表示装置１Ｂは、画像表示領域全体で二次元画像を表示する機能を有する他、前述の三次元画像を表示する機能を有するディスプレイとして構成されている。このような画像表示装置１Ｂは、図４に示すように、表示手段２Ａ及び制御手段５Ａに代えて、表示手段２Ｂ及び制御手段５Ｂを備える他は、前述の画像表示装置１Ａと同様の構成を備える。
【００５９】
表示手段２Ｂは、バックライトにより構成された光源装置２１と、当該光源装置２１から入射される光を変調して画像を形成する液晶パネルにより構成された光変調装置２２と、画像分離部２５とを備える。なお、表示手段２Ｂは、バックライト及び液晶パネルを備える構成に限らず、これらに代えて、有機ＥＬ（Electroluminescence）ディスプレイ、プラズマディスプレイ及びＣＲＴ（Cathode Ray Tube）等の表示装置を採用してもよい。
【００６０】
画像分離部２５は、表示手段２Ｂにより表示された右目用画像及び左目用画像を分離する視差バリア２５１と、当該視差バリア２５１を移動させる移動部２５２とを有する。
視差バリア２５１は、本発明の第３表示方式に相当する裸眼立体視方式により三次元画像を表示する際に利用される構成である。この視差バリア２５１は、詳しい図示を省略するが、表示手段２Ｂにて同時に表示される右目用画像及び左目用画像のうち、右目用画像を画像表示装置１Ｂに設定された視点上の右目の位置に出射させ、左目用画像を当該視点上の左目の位置に出射させる。このような視差バリア２５１が設けられることで、観察者は、右目にて右目用画像を視認し、左目にて左目用画像を視認することとなる。
【００６１】
移動部２５２は、制御手段５Ｂによる制御の下、三次元画像をＦＳ方式で表示する場合には、視差バリア２５１による右目用画像及び左目用画像の分離が行われないように、当該視差バリア２５１を移動させる。また、移動部２５２は、同様に、三次元画像を裸眼立体視方式で表示する場合には、右目用画像及び左目用画像の分離が行われる位置に、視差バリア２５１を移動させる。
【００６２】
制御手段５Ｂは、状態判定部５２Ａ及び表示制御部５３Ａに代えて、状態判定部５２Ｂ及び表示制御部５３Ｂを有する他は、制御手段５Ａと同様の構成を有する。
このうち、状態判定部５２Ｂは、前述の状態判定部５２Ａと同様に、画像処理部５１により処理された撮像画像に基づいて、観察者の観察状態を判定する。この際、状態判定部５２Ｂは、観察者が眼鏡を装着しているか否かを判定し、眼鏡を装着していると判定した場合には、当該眼鏡がＦＳ方式で用いられる眼鏡Ｇ１であるのか、その他の眼鏡であるのかを判定する。
【００６３】
また、状態判定部５２Ｂは、状態判定部５２Ａと同様に、観察者の観察状態に変化が生じたか否かを判定する。
具体的に、状態判定部５２Ｂは、画像処理部５１により処理された撮像画像に基づいて、装着されていた眼鏡Ｇ１が観察者から外されたか否かを判定する。更に、状態判定部５２Ｂは、当該撮像画像に基づいて、観察者に３Ｄ酔いが生じたか否かを判定する。
【００６４】
表示制御部５３Ｂは、画像表示装置１Ｂ全体を制御し、これにより、当該画像表示装置１Ｂによる画像の表示状態を制御する。
例えば、表示制御部５３Ｂは、状態判定部５２Ｂにより観察者が眼鏡Ｇ１を装着していると判定された場合に、ＦＳ方式により三次元画像を表示させる。この場合、表示制御部５３Ｂは、画像処理部５１により、表示手段２Ｂにそれぞれ１フレーム分の右目用画像及び左目用画像の画像信号を交互に出力させて、当該右目用画像及び左目用画像を交互に表示させる。この際、表示制御部５３Ｂは、送信手段３により、右目用画像及び左目用画像のいずれかの表示タイミングで、同期信号を赤外線にて出力させる。
【００６５】
また、表示制御部５３Ｂは、状態判定部５２Ｂにより眼鏡Ｇ１以外の眼鏡が観察者に装着されていると判定された場合、及び、眼鏡が装着されていないと判定された場合に、裸眼立体視方式により三次元画像を表示させる。この場合、表示制御部５３Ｂは、表示手段２Ｂにおいて少なくとも行方向に交互に設定された右目用画素及び左目用画素により右目用画像及び左目用画像がそれぞれ形成及び表示されるように、当該各画像の画像信号を画像処理部５１に出力させる。この際、表示制御部５３Ｂは、視差バリア２５１による右目用画像及び左目用画像の分離が行われる位置に、移動部２５２に当該視差バリア２５１を移動させる。
【００６６】
図５は、画像表示装置１Ｂによる表示制御処理を示すフローチャートである。
画像表示装置１Ｂは、以下に示す表示制御処理を実行し、二次元画像の表示と三次元画像の表示とを切り替える他、観察者の観察状態に応じた三次元画像の表示方式を選択して実行する。
具体的に、当該表示制御処理では、図５に示すように、まず、状態判定部５２Ｂが、前述のステップＳＡ１，ＳＡ２と同様の処理を行う。なお、ステップＳＡ１の判定処理にて、状態判定部５２Ｂにより眼鏡が装着されていないと判定されると（ステップＳＡ１：ＮＯ）、制御手段５Ｂは、処理をステップＳＢ１に移行する。
また、ステップＳＡ２の判定処理にて、状態判定部５２Ｂにより、装着されている眼鏡は眼鏡Ｇ１であると判定されると（ステップＳＡ２：ＹＥＳ）、表示制御部５３Ｂは、前述のステップＳＡ３と同様の処理を実行し、ＦＳ方式での三次元画像の表示を実行させる（ステップＳＡ３）。この後、制御手段５Ｂは、前述のステップＳＡ９〜ＳＡ１２と同様の処理を状態判定部５２Ｂ及び表示制御部５３Ｂにより実行する。
【００６７】
一方、ステップＳＡ２の判定処理にて、状態判定部５２Ｂにより、装着されている眼鏡が眼鏡Ｇ１でないと判定されると（ステップＳＡ２：ＮＯ）、制御手段５Ｂは、処理をステップＳＢ１に移行する。
ステップＳＢ１では、表示制御部５３Ｂが、裸眼立体視方式での三次元画像の表示を画像処理部５１及び表示手段２Ｂに実行させる（ステップＳＢ１）。この後、制御手段５Ｂは、前述のステップＳＡ９〜ＳＡ１２と同様の処理を状態判定部５２Ｂ及び表示制御部５３Ｂにより実行する。
【００６８】
以上説明した本実施形態に係る画像表示装置１Ｂによれば、前述の画像表示装置１Ａと同様の効果を奏することができる他、以下の効果を奏することができる。
表示手段２Ｂが、裸眼立体視方式での三次元画像の表示を実施可能な場合で、かつ、ＦＳ方式に応じた眼鏡Ｇ１が観察者に装着されていない場合には、制御手段５Ｂの表示制御部５３Ｂは、裸眼立体視方式での三次元画像の表示を表示手段２Ｂに実施させる。これによれば、観察者が裸眼立体視方式を選択及び設定するが無い。従って、観察者の観察状態に適した裸眼立体視方式での立体視可能な画像の表示を確実に実行できる。
【００６９】
〔実施形態の変形〕
本発明は前述の実施形態に限定されるものではなく、本発明の目的を達成できる範囲での変形、改良等は本発明に含まれるものである。
前記第１実施形態では、画像表示装置１Ａは、１つの表示手段２Ａにより、ＦＳ方式及び偏光方式を実施可能に構成したが、本発明はこれに限らない。すなわち、右目用画像を表示する表示手段と、左目用画像を表示する表示手段とをそれぞれ個別に備える画像表示装置としてもよい。例えば、偏光方式での三次元画像の表示を実施可能に構成する場合、一方の表示手段と他方の表示手段とで、それぞれ異なる偏光方向を有する偏光光により形成された右目用画像及び左目用画像を表示すればよい。
【００７０】
前記第１実施形態では、画像表示装置１Ａは、ＦＳ方式及び偏光方式での三次元画像表示を実施可能に構成され、前記第２実施形態では、画像表示装置１Ｂは、ＦＳ方式及び裸眼立体視方式での三次元画像表示を実施可能に構成されていたが、本発明はこれらに限らない。すなわち、ＦＳ方式、偏光方式及び裸眼立体視方式のうち、少なくとも２つの表示方式を実施可能に構成され、観察者の観察状態に応じた表示方式にて三次元画像を表示する構成であれば、実施可能な表示方式は適宜組み合わせてよい。また、これら表示方式の他に、波長多重視覚化方式を実施可能に構成してもよい。更に、裸眼立体視方式においても、視差バリア２５１の代わりに、右目用画像と左目用画像とを分離するレンズを採用してもよい。
【００７１】
前記各実施形態では、対応する表示方式を示す識別情報を、赤外線の出射位置及び大きさ等により眼鏡Ｇ１〜Ｇ４に設定したが、本発明はこれに限らない。すなわち、文字や図柄等により、当該識別情報を眼鏡に設定してもよく、また、眼鏡の形状から、対応する表示方式を取得する構成としてもよい。
【００７２】
前記各実施形態では、ＦＳ方式或いは偏光方式に対応する眼鏡が観察者から取り外された場合に、表示される画像を三次元画像から二次元画像に切り替えるとしたが、本発明はこれに限らない。すなわち、実施可能であれば、裸眼立体視方式による三次元画像の表示に切り替えてもよい。また、再び眼鏡が装着された場合には、当該眼鏡に対応する表示方式にて三次元画像を表示するように構成してもよい。
【００７３】
前記各実施形態では、観察者の表面温度に関する温度情報に基づいて、当該観察者に３Ｄ酔いが生じたか否かを判定したが、本発明はこれに限らない。すなわち、前述のように、観察者（例えば頭）の移動頻度等の情報に基づいて、３Ｄ酔いが生じたか否かを判定してもよい。また、３Ｄ酔いが生じたと判定された場合に、表示される画像を三次元画像から二次元画像に切り替えるのではなく、画像表示を中断する構成としてもよい。
【００７４】
前記各実施形態では、撮像手段４は、第１取得手段及び第２取得手段としての各機能を有するとしたが、本発明はこれに限らない。すなわち、第１取得手段として機能する構成と、第２取得手段として機能する構成とを、それぞれ個別に設けてもよい。また、観察者の観察状態として、各取得手段がそれぞれ異なる内容を取得するように構成してもよい。例えば、第１取得手段が、眼鏡と通信することにより、当該眼鏡の種別及び対応する表示方式を取得する構成としてもよく、また、第２取得手段が、観察者の頭部に設けられたセンサーと通信して、当該頭部の傾き等の情報を取得する構成としてもよい。
【００７５】
前記各実施形態では、観察者に３Ｄ酔いの症状が表れたと判定された場合に、表示される画像を三次元画像から二次元画像に切り替えるとしたが、本発明はこれに限らない。例えば、立体効果を抑制した三次元画像を表示するように構成してもよい。
【産業上の利用可能性】
【００７６】
本発明は、複数の表示方式にて三次元画像を表示可能な画像表示装置に好適に利用できる。
【符号の説明】
【００７７】
１Ａ，１Ｂ…画像表示装置、２Ａ，２Ｂ…表示手段、４…撮像手段（第１取得手段、第２取得手段）、５Ａ，５Ｂ…制御手段、Ｇ１〜Ｇ５…眼鏡。
【図１】
2012244426.tif 000003
【図２】
2012244426.tif 000004
【図３】
2012244426.tif 000005
【図４】
2012244426.tif 000006
【図５】
2012244426.tif 000007